【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
少なくとも１つのアセンブルした骨ブロック、および該少なくとも１つのアセンブルした骨ブロックに付着した可撓性材料の少なくとも１つの断片を含む、整形外科において有用なインプラントであって、
ここで、該少なくとも１つのアセンブルした骨ブロックが、皮質骨の第１の実質的に平坦なセグメントおよび皮質骨の第２の実質的に平坦なセグメントを含み、
該第１の実質的に平坦なセグメントは、第１の溝をつけられた部分を該第１の実質的に平坦なセグメント上に有し、そして、
該第２の実質的に平坦なセグメントは、第２の溝をつけられた部分を該第２の実質的に平坦なセグメント上に有し、
ここで、該第１の実質的に平坦なセグメントおよび該第２の実質的に平坦なセグメントが、該第１の溝をつけられた部分を該第２の溝をつけられた部分によって形成された溝へと滑らせることによって一緒に固定される、インプラント。
【請求項２】
前記皮質骨の第１のセグメントが脱無機化される、請求項１に記載のインプラント。
【請求項３】
前記可塑性材料の少なくとも１つの部分が、靭帯；腱；筋肉；硬膜；心膜；筋膜；腹膜；および脱無機化骨からなる群より選択される、請求項１に記載のインプラント。
【請求項４】
少なくとも１つのアセンブルした骨ブロック、および該少なくとも１つのアセンブルした骨ブロックに付着した可撓性組織の少なくとも１つの断片を含む、整形外科において有用な骨端移植片であって、
ここで、該少なくとも１つのアセンブルした骨ブロックが、同種移植片または異種移植片である皮質骨の第１の実質的に平坦なセグメント、および同種移植片または異種移植片である皮質骨の第２の実質的に平坦なセグメントを含み、
該第１の実質的に平坦なセグメントは、第１の溝をつけられた部分および本体部分を該第１の実質的に平坦なセグメント上に有し、そして、
該第２の実質的に平坦なセグメントは、第２の溝をつけられた部分を該第２の実質的に平坦なセグメント上に有し、
該第１および第２の実質的に平坦なセグメント、ならびに本体部分が、その上に長手方向で規定された溝を備えており、その結果、該第１および第２の実質的に平坦なセグメント部分ならびに本体部分が、溝を備え、そして、該第１および第２の実質的に平坦なセグメントは、該第１の溝をつけられた部分を該第２の溝をつけられた部分によって形成された溝へと滑らせることによって一緒に固定される、移植片。
【請求項５】
請求項４に記載の骨端移植片であって、ここで、前記可塑性組織は、軟組織、真皮、心膜、筋膜、織り込み軟組織、膀胱膜、硬膜、脱無機化骨、または骨格筋を包含する、骨端移植片。
【請求項６】
前記可塑性組織が、真皮である、請求項１に記載の骨端移植片。
【請求項７】
請求項４に記載の骨端移植片であって、ここで、前記少なくとも１つのアセンブルした骨ブロックは、２以上の長軸方向のひれ状物を備え、そして、前記可塑性組織は、該２以上のひれ状物と接触することによって該アセンブルした骨ブロックに付着している、骨端移植片。
【請求項８】
前記少なくとも１つの骨ブロックが、固定ねじを収容させるのに十分な溝を供給するために切込まれている、請求項４に記載の骨端移植片。
【請求項９】
前記溝が、前記アセンブルされた骨ブロックの長さ方向に伸びるラジアス切込みである、請求項８に記載の骨端移植片。
【請求項１０】
前記少なくとも１つの骨ブロックが、ドエルに形状化されている請求項４に記載の骨端移植片。
【請求項１１】
前記少なくとも１つの骨ブロックの直径が、９ｍｍ、１０ｍｍ、１１ｍｍまたは１２ｍｍである、請求項４に記載の骨端移植片。
【請求項１２】
前記溝が、その表面において配置されたネジ山の外形を有する、請求項４に記載の骨端移植片。
【請求項１３】
請求項４に記載の骨端移植片であって、ここで、前記可塑性組織が、第１の端と第２の端とを有し、
ここで、前記１つ以上の骨ブロックが、該第１の端に付着した第１のアセンブルした骨ブロック、および該第２の端に付着した第２のアセンブルした骨ブロックを備える、骨端移植片。
【請求項１４】
請求項４に記載の骨端移植片であって、ここで、前記インプラント材料が、化学的焼きなまし、化学的接着、縫合、ピン留め、または骨端の周囲に加工真皮を巻き、かつ縛ること、ならびに必要に応じて、適切な接着剤を塗ることにより、前記少なくとも１つのアセンブルされた骨ブロックに付着されている、請求項４に記載の骨端移植片。
【請求項１５】
請求項４に記載の骨端移植片であって、前記少なくとも１つのアセンブルされた骨ブロックのうちの少なくとも１つが、前記少なくとも１つの骨ブロックのうちの少なくとも１つの端から伸びる２つ以上の長手向きのひれ状物を備える、骨端移植片。
【請求項１６】
前記加工インプラント材料が、骨端移植片の少なくとも１つのひれ状物にある少なくとも１つの穴を通り、それ自体の部分に付着して、骨端移植片を取り囲む輪を形成する、請求項１５に記載の骨端移植片。
【請求項１７】
前記材料の少なくとも１つの部分が、２つ以上のひれ状物の端に接触して、前記２つ以上のひれ状物にかかる圧迫によって正しく固定される、請求項１５に記載の骨端移植片。
【請求項１８】
請求項１５に記載の骨端移植片であって、前記可撓性組織の少なくとも一部が、隣接したひれ状物の間の第１のチャネルを通り、骨端移植片の遠位端周囲に輪を作り、隣接したひれ状物の間の第２のチャネルを通って戻り、それ自体の部分に付着して、骨端移植片を取り囲む輪を形成する、骨端移植片。
【請求項１９】
請求項４に記載の骨端移植片であって、該骨端移植片は、前記少なくとも１つの骨ブロックに沿って配置されている少なくとも１つの干渉ねじをさらに備え、骨端移植片を必要とするレシピエントの骨の穴にそのように配置されているとき、該ねじが穴の壁の隣接部分を圧迫し、かつ、該骨端移植片を該穴の壁の他方の部分に対して圧迫する、骨端移植片。
【請求項２０】
アセンブルしたインプラントであって、該インプラントは、以下：
ａ．第１の内側の対になっている面を有する第１の対になることが可能なセグメントであって、該第１の内側の対になっている面がそこから伸びる少なくとも１つの突起を含む、第１の対になることが可能なセグメント；
ｂ．第２の内側の対になっている面を有する第２の対になることが可能なセグメントであって、該第２の該内側の対になっている面が該第１の内側の対になっている面上の少なくとも１つの突起を受けるために、その上に形成された少なくとも１つの穴を含む第２の対になることが可能なセグメント；および
ｃ．可塑性材料の長さ部分であって、加工軟組織を備え、そして、第１および第２の端を有し、該第１の端は、該第１および該第２のセグメントの内側の対になっている面の間に配置され、その結果、該第１および第２のセグメントが、接合されるときに、少なくとも１つの穴が、少なくとも１つの突起を受け、該可撓性材料の長さ部分の第１の端が、圧迫されるか、またはそれらの間で固定され、そして、該第２の端は、該対になることが可能なセグメントを越えて伸長する、長さ部分
を備え、ここで、該第１の対になることが可能なセグメントおよび第２の対になることが可能なセグメントは、半円錐状であり、外面上に規定されるねじ山を有する外面を備え、ここで、該第１および第２のセグメントが、一緒になって、そして、該ねじ山が整列される、
アセンブルしたインプラント。
【請求項２１】
請求項２０に記載のアセンブルしたインプラントであって、ここで、前記第１の内側の対になっている面および前記第２の内側の対になっている面は、実質的に平坦である、インプラント。
【請求項２２】
前記少なくとも１つの突起がピンを含む、請求項２０に記載のアセンブルしたインプラント。
【請求項２３】
請求項２０に記載のアセンブルしたインプラントであって、ここで、前記第１セグメント、第２のセグメントまたは両方が、アセンブルされるとき、前記アセンブル可能な固定プラグから前記可撓性材料が滑るのを防ぐために、歯、隆起、溝または他のでこぼこ形状物を備える、インプラント。
【請求項２４】
打ち込み用具を受けるために少なくとも１つの端に形成された開口部をさらに備える、請求項２３に記載のアセンブルしたインプラント。
【請求項２５】
請求項２０に記載のアセンブルしたインプラントであって、前記内側の対になっている面の片方または双方にさらに窪みをさらに備え、可撓性材料の厚くなった部分が、該窪みに位置づけられており、それによって、前記第１および第２のセグメントを締めつけた際に、該厚くなった部分が、該窪みの中に保持され、そして、該アセンブルされたインプラントから滑り出すのを抑制している、アセンブルしたインプラント。
【請求項２６】
請求項２０に記載のアセンブルしたインプラントであって、ここで、前記第１の対になることが可能なセグメントおよび第２の対になることが可能なセグメントが、同種移植片であるかまたは異種移植片である無機質化骨、脱無機質骨もしくは合成材料、またはそれらの組合わせから構成されており、かつ、前記可塑性材料の長さ部分は、靭帯、腱、筋肉、硬膜、心膜、筋膜、腹膜、および脱無機化骨からなる群より選択される軟組織から構成される、インプラント。
【請求項２７】
少なくとも１つのアセンブルした骨ブロック、および該少なくとも１つのアセンブルした骨ブロックに付着した可撓性材料の少なくとも１つの部分を含む、整形外科において有用な真皮由来の骨端移植片であって、
ここで、該少なくとも１つのアセンブルした骨ブロックが、第１の実質的に平坦なセグメント、および第２の実質的に平坦なセグメントを含み、
該第１の実質的に平坦なセグメントは、第１の溝をつけられた部分を該第１の実質的に平坦なセグメント上に有し、そして、
該第２の実質的に平坦なセグメントは、第２の溝をつけられた部分を該第２の実質的に平坦なセグメント上に有し、
ここで、該第１の実質的に平坦なセグメントおよび第２の実質的に平坦なセグメントが、該第１の溝をつけられた部分を、該第２の溝をつけられた部分によって形成された溝へと滑らせることによって一緒に固定され、そして、ここで、可塑性材料の少なくとも１つの部分が、加工真皮の伸長部分である、
真皮由来の移植片。
【請求項２８】
請求項２７に記載の移植片であって、ここで、前記少なくとも１つのアセンブルした骨ブロックが、ヒトから取得されたかまたは異種供給源に由来する、皮質骨、海綿骨、皮質−海綿骨、または脱無機質化骨から構成され、必要に応じて合成材料と組み合わされる、移植片。
【請求項２９】
請求項２８に記載の移植片であって、前記少なくとも１つのアセンブルされた骨ブロックのうちの少なくとも１つが、２つのセグメントから構成される、移植片。